(57)【要約】      （修正有）【課題】使用前にバレル内に事前充填され且つ封止されるカプーレの堅固な保持を保証し且つより安定的に滑らかに動作され得る、内蔵カプーレを備える使い捨て注射器を提供する。【解決手段】キャリアユニット３４を係止位置から離れる方向への動作から守るために、保持機構１３が配置される。ニードル組立体３３，５１，３７が、カープル３に接続される。プランジャ４が、ニードル組立体と連絡される被封止室３１ａを定めるために管状壁３１と協働するよう、カープルのシール部材３２と係合される。キャリアユニット３４を解除位置に移動するために、プランジャ４がバレル１に対して回転された後、カープルは、ニードル組立体及びカープルがニードルカニューレ３３をバレル内に後退するために付勢部材２３によって後方に付勢されるよう、キャリアユニットにリンググリップ２１を突出部材２２から解放させるために前方に押され得る。【選択図】図１
2010259674.tif 000002
【特許請求の範囲】
【請求項１】
内蔵カープルを備える使い捨て注射器であり、
軸方向に軸に沿って互いに反対側の前方及び後方のバレル端部（１２１，１２２）と、該前方及び後方のバレル端部（１２１，１２２）と相互接続し、前記前方及び後方のバレル端部（１２１，１２２）に対してそれぞれ近位に配置され且つ前方及び後方の区画（１１ａ，１１ｂ）をそれぞれ定める前方及び後方の壁部分（１２ａ，１２ｂ）を含む、周囲バレル壁（１２）とを含む、バレル（１）を含み、前記前方バレル端部（１２１）は、前記前方区画（１１ａ）と連絡される挿入開口（１２１ａ）を定め、
使用位置において前記前方バレル端部（１２１）の前方に配置される先端部（３３２）と、前記軸に沿って前記先端部（３３２）と反対側の連絡端部（３３１）とを有する、ニードルカニューレ（３３）を含み、
前記連絡端部（３３１）をその中に固定するよう構成され、且つ、前記先端部（３３２）に対して近位及び遠位のハブ区域（５１，５２）を有する、シートユニット（５）を含み、
カープル（３）を含み、該カープルは、
前記軸について前記後方区画（１１ｂ）内で回転可能であるよう構成され、且つ、前記遠位ハブ区域（５２）と一体的に形成されるよう径方向に延びる前方管状縁部表面（３１１）で終端するよう前方に延びる管状壁（３１）を含み、
第二摩擦力の故に、前記管状壁（３１）と流体密に係合するよう配置されるシール部材（３２）を含み、該シール部材（３２）は、前記管状壁（３１）と協働して、液体医薬を保持するための被封止室（３１ａ）を定めるよう、軸方向に前記管状縁部表面（３１１）から離間され、前記液体医薬を前記被封止室（３１ａ）から前記前方管状縁部表面（３１１）に放出し、それによって、前記カープルを消耗位置に配置するよう、前方に移動可能である、
内蔵カープルを備える使い捨て注射器であって、
前記挿入開口（１２１ａ）内に配置され、限界端部（１２４１）で終端する後方に延び、且つ、それらの間に収容空間（１２３）を定めるよう、前記前方壁部分（１２ａ）から径方向に離間される、保持部材（１２４）を含み、
突出部材（２２）を含み、該突出部材は、
軸方向に前記限界端部（１２４１）と直面し且つ前記限界端部に対して当接することが許容され、前記収容空間（１２３）と直面する休止表面（２２３）を有する、前方突出端部（２２１）を有し、
軸方向に前記前方突出端部（２２１）と反対側であり、それらの間に周囲間隙を定めるよう前記前方壁部分（１２ａ）から離間される環状被把持表面（２２２ａ）を有する、リングヘッド（２２２）を有し、
前記周囲間隙内に配置され、第一摩擦力の故に、使用位置において、前記第一摩擦力が前記前方突出端部（２２１）を前記限界端部（１２４１）から離れる方向への動作から守るような大きさであるよう、前記被把持表面（２２２ａ）及び前記前方壁部分（１２ａ）とそれぞれ保持的に係合する内側環状把持表面（２１ａ）と外側環状把持表面（２１ｂ）とを有する、リンググリップ（２１）を含み、
外部捩り力によって係止位置と解除位置との間で前記軸について前記カープル（３）と回転可能であるよう配置されるキャリアユニット（２１）を含み、該キャリアユニット（３４）は、プッシュスタッド（３４２）を含み、該プッシュスタッド（３４２）は、前記キャリアユニット（３４）が前記解除位置にあるや否や、前記前方突出端部（２２１）を前記限界端部（１２４１）から解放し、それによって、前記突出部材（２２）を解放位置に配置するために、前記プッシュスタッド（３４２）が、前記リンググリップ（２１）を前記第一摩擦力に抗して前方に移動する押し力によって前方に押されることが許容されるよう構成され、
前記キャリアユニット（３４）が前記係止位置から離れる方向へ移動することを防ぐよう配置される保持機構（１３）を含み、
前記キャリアユニット（３４）が前記解除位置に移動されるや否や、軸方向に前記後方壁部分（１２ｂ）に沿って移動するよう前記管状壁（３１）を案内するために配置される、キー及びキー溝機構（３５，１２６）を含み、
プランジャ（４）を含み、該プランジャは、
前記シール部材（３２）と係合し、且つ、前記カープル（３）を消耗位置に導くために前記シール部材（３２）を前記第二摩擦力に抗して前記管状壁（３１）に沿って前方に移動する、プッシュ端部（４３２）を有し、
軸方向に前記プッシュ端部（４３２）と反対側にあり、前記キャリアユニット（３４）と共に前記管状壁（３１）を前記解除位置に回転する外部捩り力に晒されるよう前記後方バレル端部（１２２）の外側に延びる動作端部（４２）を有し、
付勢部材（２３）を含み、該付勢部材は、前記突出部材（２２）が前記解放位置に配置されるや否や、前記付勢部材が、前記ニードルカニューレ（３３）の前記先端部（３３２）を前記バレル（１）内に後退し、それによって、前記ニードルカニューレ（３３）を廃棄位置に配置するために前記遠位ハブ区域（５２）及び前記カープル（３）を前記後方バレル端部（１２２）に向かって押すように前記リングヘッド（２２２）を付勢するよう、前記休止表面（２２３）に対して当接するよう前記収容空間（１２３）内に配置される、
内蔵カープルを備える使い捨て注射器。
【請求項２】
前記キャリアユニット（３４）は、周辺部分で終端するよう前記遠位ハブ区域（５２）から径方向に前記周囲バレル壁（１２）に向かって延びるウェブ（３４１）を含み、前記プッシュスタッド（３４２）は、前記突出部材（２２）が前記解放位置に配置されるや否や、前記リングヘッド（２２２）が、前記ウェブ（３４１）で突出するよう前記付勢部材（２３）によって付勢されるよう、前記周辺部分と形成されることを特徴とする、請求項１に記載の内蔵カープルを備える使い捨て注射器。
【請求項３】
前記プランジャ（４）は、
前記シール部材と係合し且つ前記シール部材と移動するよう配置される前記プッシュ端部（４３２）と、前記プッシュ端部（４３２）と反対側の第一後方端部（４３１）とを有する第一プランジャ本体（４３）と、
前記動作端部（４２）と、前記動作端部（４２）の反対側にあり、第三摩擦力によって前記第一後方端部（４３１）で解放可能に保持される第二前方端部（４１３）とを有する第二プランジャ本体（４１）とを含み、前記第三摩擦力は、前記シール部材（３２）が前方に移動されることを許容し、それによって、前記カープルを前記消耗位置に配置するために、前記第二摩擦力よりも大きく、前記突出部材（２２）を前記解法位置に配置するために、前記プッシュスタッド（４３２）が前方に押された後、前記第二プランジャ本体（４１）が前記第一プランジャ本体（４３）に対して移動することが許容され、それによって、前記シートユニット（５）及び前記カープル（３）が前記廃棄位置に後方に後退されることを許容するよう、前記第一摩擦力よりも大きいことを特徴とする、
請求項１に記載の内蔵カープルを備える使い捨て注射器。
【請求項４】
前記カープル（３）の前記管状壁（３１）は、前記前方環状縁部表面（３１１）と反対側の後方環状フランジ（３１３）を有し、当該使い捨て注射器は、前記後方環状フランジ（３１３）に配置され、且つ、径方向に内向きに延びる環状肩部（３８１）を有する環状ガスケット（３８）をさらに含み、前記第二プランジャ本体（４１）は、前記第二前方端部（４１３）に配置され、且つ、前記押し力を前記プランジャ（４）から前記カープル（３）に付与するために、前記カープル（３）が前記消耗位置にあるとき、前記環状肩部（３８１）に対して当接するよう構成される当接部（４１２）を有することを特徴とする、請求項３に記載の内蔵カープルを備える使い捨て注射器。
【請求項５】
前記前方及び後方の壁部分（１２ａ，１２ｂ）は、前記前方及び後方のバレル端部（１２１，１２２）にそれぞれ隣接して配置され且つ前方及び後方にそれぞれ面する前方及び後方の肩当接部（１２７，１２８）をそれぞれ有し、
当該使い捨て注射器は、さらに、
前記前方壁部分（１２ａ）に取り外し可能にスリーブ接続され、且つ、前記ニードルカニューレ（３３）を遮蔽するために前記前方肩当接部（１２７）に対して当接する前方保護体（１４）と、
前記後方壁部分（１２ｂ）に取り外し可能にスリーブ接続され、且つ、前記プランジャ（４）を遮蔽するために前記後方肩当接部（１２８）に対して当接する後方保護体（１５）とを含むことを特徴とする、
請求項１に記載の内蔵カープルを備える使い捨て注射器。
【請求項６】
前記突出部材（２２）の前記前方突出端部（２２１）は、使用位置において小さい間隙（２２０）だけ前記限界端部（１２４１）から離間されることで、前記間隙（２２０）は、前記前方突出端部（２２１）を前記限界端部（１２４１）に対して当接させるよう、前記突出部材（２２）が前記リンググリップ（２１）で前方に移動された後、前記突出部材（２２）の後方移動を容易化するための開始空間（２２０）として働くことを特徴とする、請求項１に記載の内蔵カープルを備える使い捨て注射器。
【発明の詳細な説明】
【技術分野】
【０００１】
この発明は使い捨て注射器に関し、より具体的には、カープル(carpule)を備える使い捨て注射器に関する。
【背景技術】
【０００２】
後退可能な歯科用注射に関する米国特許第６，２２１，０５５Ｂ１号には、事前充填注射器が開示されており、事前充填注射器は、バレルと、薬品が充填され且つバレルの後方開放端部からバレル内に挿入され且つニードルの後部先端によって穿刺されるカープルによってニードルと連絡されるカープル及びプランジャ組立体と、ニードルをバレル内に保持するためのプッシュリングとを含む。注射の終わりに、プランジャは、ニードルの後退を許容するようプッシュリングが取り外すよう、カープルを移動するためにさらに押される。しかしながら、カープルは事前にバレル内に収容され得ず、カープル及びバレルは使用中に後続の組立体のために別個に詰め込まれなければならず、それによって、操作時間の増大を招く。加えて、そのような注射器構造は、注射器の製造を複雑化する。
【０００３】
従って、米国特許出願第１１／６０１，５２６号において、出願人は、内臓カープルを備える使い捨て注射器を開示した。使い捨て注射器は、医療作業者による臨床注射作業が単純化され且つ便利に行われるよう、バレル内で事前組み立てされ得るカープルを含む。その上、注射器は、注射後に便利に再利用不能にされ得るし、ニードル後退は、注射後、単一操作で円滑に行われる。
【０００４】
使用前にバレル内に挿入される事前充填され且つ封止されるカプーレの堅固な保持及びより安定的でより滑らかな動作を保証するために、前述の注射器を改良することが望ましい。
【発明の概要】
【発明が解決しようとする課題】
【０００５】
本発明の目的は、使用前にバレル内に事前充填され且つ封止されるカプーレの堅固な保持を保証し且つより安定的に滑らかに動作され得る、内蔵カプーレを備える使い捨て注射器を提供することである。
【課題を解決するための手段】
【０００６】
この発明によれば、内蔵カープルを備える使い捨て注射器は、前方及び後方区画を定める周囲バレル壁と、前方区画と連絡される挿入開口とを有する。保持部材が、挿入開口内に配置され、限界端部で終端するよう後方に延び、それらの間に収容空間を定めるようバレル壁の前方壁部分から離間される。突出部材が、限界端部に対して当接し且つ収容空間と直面する休止表面を有する前方突出端部と、それらの間に周囲間隙を定めるよう前方壁部分から離間される環状被把持表面を有するリングヘッドとを有する。リンググリップが、周囲間隙内に配置され、被把持表面及び前方壁部分とそれぞれ保持的に係合する内側及び外側の環状被把持表面を有する。シートユニットが、ニードルカニューレの連絡端部をその中に固定するよう構成される。カープルは、管状壁と、シール部材とを含む。管状壁は、後方区画内で回転可能であるよう配置され、シートユニットの遠位ハブ区域と一体的に形成されるよう径方向に延びる前方管状縁部表面で終端するよう前方に延びる。シール部材は、管状壁と流体密係合するよう配置され、管状壁と協働して、液体医薬を保持するための被封止室を定めるよう、前方管状縁部表面から離間される。シール部材は、液体医薬を被封止室から前方管状縁部表面に放出し、それによって、カープルを消耗位置に配置するよう、前方に移動可能である。カープルユニットが、外部捩り力によって係止位置と解除位置との間でカープルと回転可能であり、前方突出端部を限界端部から解放し、それによって、突出部材を解放位置に配置するために、リンググリップを前方に移動するために、カープルが解除位置にあるや否や前方に押されるプッシュスタッドを含む。保持機構が、キャリアユニットが係止位置から離れる方向に移動することを防ぐよう配置される。キー及びキー溝機構が、キャリアユニットが解除位置に移動されるや否や、バレル壁に沿って移動するよう、カープルの管状壁を案内するよう配置される。プランジャが、カープルの管状壁に沿ってシール部材を前方に移動するプッシュ端部と、管状壁をキャリアユニットと共に解除位置に回転するよう動作可能な動作端部とを有する。付勢部材が、突出部材が解放位置に配置されるや否や、ニードルカニューレをバレル内に後退し、それによって、ニードルカニューレを廃棄位置に配置するよう、遠位ハブ区域及びカープルを後方バレル端部に押すために、付勢部材がリングヘッドを付勢するよう、休止表面に対して当接するよう収容空間内に配置される。
【０００７】
本発明の他の機能及び利点は、付属の図面を参照して、本発明の好適実施態様の以下の詳細な記載において明らかになるであろう。
【図面の簡単な説明】
【０００８】
【図１】本発明に従った使い捨て注射器の第一好適実施態様を示す展開断面図である。
【図２】初期組立て状態にある第一好適実施態様を示す断面図である。
【図３】係止位置にある支持ユニットを示す、図２の線ＩＩＩ−ＩＩＩに沿う断面図である。
【図４】注射ストローク中の第一好適実施態様を示す断面図である。
【図５】解除状態にある支持ユニットを示す、図３に類似する断面図である。
【図６】注射ストローク完了後の第一好適実施態様を示す部分図である。
【図７】第一好適実施態様を示す断面図であり、リンググリップからの解放状態にあるフランジ部材を示している。
【図８】第一好適実施態様を示す断面図であり、バレル内に完全に後退されたニードルカニューレを示している。
【図９】本発明に従った使い捨て注射器の第二好適実施態様を示す断面図である。
【図１０】使用準備ができた状態における第二好適実施態様を示す断面図である。
【図１１】第二好適実施態様を示す断面図であり、バレル内に完全に後退されたニードルカニューレを示している。
【図１２】本発明に従った使い捨て注射器の第三好適実施態様を示す断面図である。
【図１３】注射ストロークの完了後の第三好適実施態様を示す断面図である。
【図１４】初期組立て状態にある本発明に従った使い捨て注射器の第四好適実施態様を示す断面図である。
【図１４Ａ】図１４の線（Ｉ）−（Ｉ）に沿う断面図である。
【図１５】使用状態にある第四好適実施態様を示す断面図である。
【図１６】初期組立て状態にある本発明に従った使い捨て注射器の第五好適実施態様を示す断面図である。
【図１７】第五好適実施態様を示す断面図であり、バレル内に完全に後退されたニードルカニューレを示している。
【図１８】初期組立て状態にある本発明に従った使い捨て注射器の第六好適実施態様を示す断面図である。
【図１９】第六好適実施態様を示す断面図であり、バレル内に完全に後退されたニードルカニューレを示している。
【図２０】初期組立て状態にある本発明に従った使い捨て注射器の第七好適実施態様を示す断面図である。
【図２１】初期組立て状態にある本発明に従った使い捨て注射器の第八好適実施態様を示す断面図である。
【図２２】初期組立て状態にある本発明に従った使い捨て注射器の第九好適実施態様を示す断面図である。
【図２３】初期組立て状態にある本発明に従った使い捨て注射器の第十好適実施態様を示す断面図である。
【図２４】第十好適実施態様を示す断面図であり、バレル内に完全に後退されたニードルカニューレを示している。
【図２５】本発明に従った使い捨て注射器の第十一好適実施態様を示す断面図であり、バレル内に完全に後退されたニードルカニューレを示している。
【発明を実施するための形態】
【０００９】
本発明がより詳細に記載される前に、同等素子を指し示すために明細書を通じて同じ参照番号が使用されていることが付記されなければならない。
【００１０】
図１乃至４を参照すると、本発明に従った使い捨て注射器の第一好適実施態様が、バレル１と、突出部材(lunge member)２２と、リンググリップ２１と、ニードルカニューレ３３と、シートユニット５と、キャリアユニット３４と、カーブル３と、気密スリーブ１７と、キー及びキー溝機構３５，１２６と、保持機構１３と、プランジャ４と、前方及び後方保護体１４，１５と、付勢部材２３とを含むように示されている。
［実施例１］
【００１１】
バレル１は、軸方向に軸に沿って互いに反対側の前方及び後方バレル端部１２１，１２２と、前方及び後方バレル端部１２１，１２２を相互接続し、且つ、前方及び後方バレル端部１２１，１２２に近位してそれぞれ配置され且つ前方及び後方区画（１１ａ，１１ｂ）をそれぞれ定める、前方及び後方壁部分（１２ａ，１２ｂ）を含む、周囲バレル壁１２と、後方バレル端部１２２に近接して配置される（図７に示されるような）指フランジ１８とを含む。前方バレル端部１２１は、前方区画（１１ａ）と連絡するよう軸方向に延びる挿入開口（１２１ａ）を定める。保持機構１２４が、環状壁の形態にあり、環状壁は、挿入開口（１２１ａ）内に配置され、前方バレル端部１２１から後方に延びて限界端部１２４１で終端し、それらの間に収容空間１２３を定めるよう径方向に前方壁部分（１２ａ）から離間している。前方及び後方壁部分（１２ａ，１２ｂ）は、前方及び後方肩当接部１２７，１２８をそれぞれ有し、前方及び後方肩当接部は、前方及び後方バレル端部１２１，１２２に近接してそれぞれ配置され、前方及び後方にそれぞれ面する。係合リング１２９が、保持部材１２４に近接して前方壁部分（１２ａ）の内表面に形成されている。環状溝１２０の形態の保持部分１２０が、後方バレル端部１２２に隣接して後方壁部分（１２ｂ）の内表面に形成されている。
【００１２】
突出部材２２は、限界端部１２４１に直面し、限界端部１２４１との当接係合を許容するよう（図４及び６に示されるような）使用位置において小さい間隙２２０だけ軸方向に限界端部１２４１から離間し、且つ、収容空間１２３に直面する休止表面２２３を有する前方突出端部２２１と、軸方向に前方突出端部２２１と反対側のリングヘッド２２２とを有する。リングヘッド１２２は、環状被把持表面（２２２ａ）を有し、環状被把持表面は、それらの間に周囲間隙を定めるよう前方壁部分（１２ａ）から離間している。
【００１３】
リンググリップ２１は、係合リング１２９に保持されるよう、環状被把持表面（２２２ａ）と前方壁部分（１２ａ）との間の周囲間隙内に挟まれ、且つ、使用位置において、第一摩擦力が突出端部２２１を限界端部１２４１から離れる方向への動作から守るような大きさであるよう、第一摩擦力の故に被把持表面（２２２ａ）及び前方壁部分（１２ａ）をそれぞれ保持的に係合するように、内側環状把持表面（２１ａ）と外側環状把持表面（２１ｂ）を有する。具体的には、リングヘッド２２２は、周囲間隙内でのリンググリップ２１の絞りの故に、リングヘッド２２２が、環状被把持表面（２２２ａ）と内側把持表面（２１ａ）との間に並びに外側環状把持表面（２１ｂ）と前方壁部分（１２ａ）との間で第一摩擦力を生成するために付勢力を取得するよう、可撓性材料から作成される。
【００１４】
ニードルカニューレ３３は、使用位置において前方バレル端部１２１の前方に配置される先端部３３２と、軸に沿って先端部３３２の反対側の連絡端部３３１とを有する。
【００１５】
シートユニット５は、その中に連絡端部３３１を固定するよう構成され、先端部３３２に対して近位及び遠位のハブ区域５１，５２を有する。この実施態様では、近位及び遠位のハブ区域５１，５２は、互いに一体的に形成されている。
【００１６】
キャリアユニット３４は、（図３及び５に示されるように）係止位置と解除位置との間で軸について回転可能であるよう配置され、周囲部分で終端するよう遠位ハブ区域５２に圧力嵌めされ且つ遠位ハブ区域５２から周囲バレル壁１２に向かって径方向に延びるウェブ３４１と、ウェブ３４１の周囲部分と形成され、リングヘッド２２２と摩擦的に係合し、且つ、リングヘッド２２２に対して回転することが許容される複数のプッシュスタッド３４２とを含む。よって、キャリアユニット３４が解除位置にあるや否や、プッシュスタッド３４２は、前方突出端部２２１を限界端部１２４１から解放するために、リンググリップ２１を第一摩擦力に抗して前方に移動する押し力によって前方に押されることが許容され、それによって、（図７に示されるように）突出部材２２を解放位置に配置する。プッシュスタッド３４２は、単一の環状片として一体的に形成され得ることが付記される。
【００１７】
カーブル３は、ガラス製管状壁３１と、シール部材３２とを含む。管状壁３１は、軸について後方区画（１１ｂ）内で回転可能であるよう構成され、シートユニット５の遠位ハブ区域５２と一体的に形成されるよう径方向に延びる前方管状縁部表面３１１で終端するよう前方に延び、前方縁部表面３１１の反対が腕お後方管状フランジ３１３を有する。管状壁３１は、後方壁部分（１２ｂ）と摩擦的に且つ摺動可能に係合する。この実施態様では、管状壁３１は、ガラス材料から作成される。シール部材３２は、キャリアユニット３４が、外部捩り力によって、係止位置から解除位置に回転されることが許容されるよう、外部捩り力よりも大きい第二摩擦力の故に、管状壁３１と流体密係合するよう配置される。シール部材３２は、管状壁３１と協働して、液体医薬を保持するための被封止室（３１ａ）を定めるよう、軸方向に前方管状縁部表面３１１から離間され、液体医薬を被封止室（３１ａ）から前方管状縁部表面３１１に放出するよう前方に移動可能であり、それによって、カーブル３を（図６に示されるような）消耗位置に配置する。
【００１８】
気密スリーブ１７は、ニードルカニューレ３３を遮蔽するようシートユニット５に取り外し可能にスリーブ接続され、エラストマー前方端部１７２を有することで、ニードルカニューレ３３の先端部３３２は、被封止室（３１ａ）の気密性を維持するために、エラストマー前方端部１７２内に捕捉される。
【００１９】
キー及びキー溝機構３５，１２６は、ウェブ３４１の周囲部分から径方向に延びる一対のペグ３５と、後方壁部分（１２ｂ）内に形成され、且つ、図５に示されるように、キャリアユニット３４が解除位置に移動されるや否や、軸方向におけるペグ２５の摺動移動のために軸方向にそれぞれ延びる一対の案内スロット１２６とを含む。
【００２０】
保持機構は、一対の保持溝１３を含み、一対の保持溝は、案内スロット１２６の前方端部に対して横方向に延び且つ案内スロット１２６の前方端部とそれぞれ連絡し、図３に示されるように、キャリアユニット３４を係止位置に配置するよう、その中にペグ３５を保持するために配置される。保持溝１３を封止するために、環状封止ストリップ１６２が、後方壁部分（１２ｂ）に取り付けられる。
【００２１】
プランジャ４は、第一及び第二のプランジャ本体４３，４１を含む。第一プランジャ本体４３は、シール部材３２と係合され且つカープル３を消耗位置に導くために第二摩擦力に抗して管状壁３１に沿って前方にシール部材３２と共に移動するプッシュ端部４３２と、プッシュ端部４３２と反対側の第一後方端部４３１とを有する。第二プランジャ本体４１は、カープル３の管状壁３１をキャリアユニット３４と共に解除位置に回転する外部捩り力に晒されるよう後方バレル端部１２２の外側に延びる動作端部４２と、動作端部４２と反対側の第二前方端部４１３とを有する。第二前方端部４１３は、内側フランジ４１１を有し、内側フランジは、シール部材３２が前方に移動され、それによって、カープル３を消耗位置に配置するよう、第二摩擦力よりも大きく、且つ、突出部材２２を開放位置に配置するよう、プッシュスタッド３４２が前方に押された後、第二プランジャ本体４１が第一プランジャ本体４３に対して移動することが許容され、それによって、シートユニット５及びカープル３が廃棄位置に後方に後退されることが許容されるよう、第一摩擦力よりも大きい第三摩擦力によって、第一後方端部４３１と解放可能に保持される。加えて、第二プランジャ本体４１は、第二前方端部４１３に配置される当接部４１２を有する。
【００２２】
前方保護体１４は、前方壁部分（１２ａ）に取り外し可能にスリーブ接続され、ニードルカニューレ３を遮蔽するために前方肩当接部１２７に対して当接する。後方保護体１５は、後方壁部分（１２ｂ）に取り外し可能にスリーブ接続され、プランジャ４を遮蔽するために後方肩当接部１２８に対して当接する。好ましくは、前方保護体１４は、気密スリーブ１７のエラストマー前方端部１７２とネジ式に係合される。良好なシール効果を得るために、前方及び後方の封止ストリップ１６１は、それぞれ、前方保護体１４を前方壁部分（１２ａ）に剥離可能に接着し、後方保護体１５を後方壁部分（１２ｂ）に剥離可能に接着するよう配置される。
【００２３】
付勢部材２３は、収容空間１２３内に配置され、前方バレル端部１２１及び休止表面２２３に対して当接する２つの対向する端部２３１，２３２を有する。よって、突出部材２２が解放位置に配置されるや否や、付勢部材２３は、ニードルカニューレ３３の先端部３３２をバレル１内に後退し、それによって、図８に示されるように、廃棄位置にニードルカニューレ３３を配置するために、シートユニット５及びカーブル３を後方バレル端部１２２に向かって押すよう、リングヘッド２２２を付勢する。
【００２４】
図２及び４を参照すると、注射ストロークにおいて、前方及び後方の保護体１４，１５は、先ずニードルカニューレ３３及びプランジャ４を露出するために取り外される。操作者は、彼／彼女の人差指及び中指で指フランジ１８（図７を参照）を保持し、空気を被封止室（３１ａ）から放出し且つ医薬の量を所望に調節するために、シール部材３２がカープル３の管状壁３１に沿って前方に移動されるよう、彼／彼女の親指でプランジャ４の動作端部４２を前方に押す。シール部材３２と管状壁３１との間に生成される第二摩擦力の故に、操作者はバレルを片手で保持し得るし、ペグ３５を保持溝１３から分離するために、キャリアユニット３４を解除位置に回転するよう、プランジャ４に外部捩り力を適用し得る。引き続き、ニードルカニューレを通じて患者の受け内に医薬を導入し、且つ、カープル３を消耗位置に配置し、それによって、図６に示されるように、注射ストロークを完了するために、押し力が動作端部４２に適用される。
【００２５】
図５乃至７を参照すると、リンググリップ２１を前方に移動するよう、プッシュスタッド３４２を押すために、外部押し力が動作端部４２に引き続き適用される。限界端部１２４１に対して当接するために、突出部材２２も前方に移動される。間隙２２０は、リンググリップ２１と突出部材２２との間の並びにリンググリップ２１と前方壁部分（１２ａ）との間の摩擦抵抗を減少し、それによって、グリップリング２１の後続の前方移動を容易化するために、突出部材２２及びリンググリップ２１の僅かな前方移動を許容する開始空間２２０として働き得る。然る後、突出部材２２は限界端部１２４１によって妨げられるので、プッシュスタッド３４２に適用される押し力は、リンググリップ２１を突出部材２２から分離させ、それによって、突出部材２２を解放位置に配置する。同時に、プッシュスタッド３４２は、ウェブ３４１が突出部材２２によって妨げられるまで、リングヘッド２２２の被把持表面（２２２ａ）と摩擦係合するよう移動される。さらに、第二プランジャ本体４１は、動作端部４２の周囲４２１がバレル１の保持部分１２０によって保持されるまで、第三摩擦力に抗して第一プランジャ本体４３に対して前方に移動され、それによって、注射器の再使用を防止するために、第二プランジャ本体４１の後方移動を防ぐ。
【００２６】
図８に示されるように、突出部材２２が解放位置に配置されるや否や、付勢部材２３の付勢力は、ウェブ３４１で突き出るようリングヘッド２２２を付勢するために解放され、それらは、シートユニット５及びカープル３と共に、ニードルカニューレ３３の先端部３３を前方区画（１１ａ）内に後退し、それによって、ニードルカニューレ３３を廃棄位置に配置するよう、後方バレル端部１２２に向かって移動される。同時に、第一プランジャ本体４３は、第二プランジャ本体４１内に完全に後退される。
【００２７】
上述された使い捨て注射器の構成部品部分の形状及びサイズは変更され得ることが付記される。例えば、バレル１、ニードルカニューレ３３、カープル３、及び、プランジャ４は、注射器を深い注射を遂行するのに適させるよう、より長くされ得る。
［実施例２］
【００２８】
図９乃至１１を参照すると、この発明に従った使い捨て注射器の第二好適実施態様が、前の実施態様と構造が類似するよう示されている。第二実施態様において、シートユニット５の近位ハブ区域５１は、ニードルカニューレ３３の連絡端部３３１がその中に固定される固定端部５１１と、軸方向に固定端部５１１から延び、且つ、連絡端部３３１を被封止室（３１ａ）と連絡するよう遠位ハブ区域５２に取り外し可能にスリーブ接続されるスリーブ端部５１２とを有する。加えて、先端保護体３７が、ニードルカニューレ３３を覆うために、近位ハブ区域５１にスリーブ接続される。よって、ニードルカニューレ３３、近位ハブ区域５１、及び、先端保護体３７は、ニードル組立体として組み立てられる。気密スリーブ１７は、使用前に被封止室（３１ａ）の気密性を維持するために、遠位ハブ区域５２にスリーブ接続される。
［実施例３］
【００２９】
図１２及び１３を参照すると、この発明に従った使い捨て注射器の第三好適実施態様が、第一実施態様と構造が類似するよう示されている。第三実施態様では、プラスチック材料から作成される環状ガスケット３８が、管状壁３１の環状フランジ３１３に配置され、径方向に内向きに延びる環状肩部３８１を有する。故に、カープル３が消耗位置にあるとき、プランジャ４の当接部４１２は、プランジャ４からの押し力をカープル３に付与するために、環状肩部３８１に対して当接する。
［実施例４］
【００３０】
図１４、１４（Ａ）、及び、１５を参照すると、この発明に従った使い捨て注射器の第四好適実施態様が、第一実施態様と構造が類似するよう示されている。第四実施態様において、周囲バレル壁１２は、さらに、後方壁部分（１２ｂ）から後方バレル端部１２２まで延びる拡大壁部分（１２ｃ）を含む。よって、カープル３は、拡大壁部分（１２ｃ）の内表面内に収容され且つ拡大壁部分（１２ｃ）の内表面に沿って摺動可能な従来的な事前充填注射器であり得る。加えて、キャリアユニット３４が、係止位置に回転されるときに、指フランジ３９がリブ（１２ｄ）によって保持され、それによって、カープル３をバレル１上により堅固に保持するよう、複数のリブ（１２ｄ）が、拡大壁部分（１２ｃ）から径方向に内向きに延びている。
［実施例５］
【００３１】
図１６及び１７を参照すると、この発明に従った使い捨て注射器の第五好適実施態様が、第一実施態様と構造が類似するよう示されている。第五実施態様では、カープル３の管状壁３１は、熱可塑的に成型され、キャリアユニット３４のウェブ３４１は、前方管状縁部表面３１１と一体的に形成されている。
［実施例６］
【００３２】
図１８及び１９を参照すると、この発明に従った使い捨て注射器の第六好適実施態様が、第五実施態様と構造が類似するよう示されている。第六実施態様では、キー及びキー溝機構のペグ３５は、カープル３の後方環状フランジ３１３に配置され、案内スロット１２６は、後方バレル端部１２２に隣接してバレル１の後方壁部分（１２ｂ）に形成され、第一実施態様よりも短い長さを有する。
［実施例７乃至９］
【００３３】
図２０乃至２２を参照すると、この発明に従った使い捨て注射器の第七乃至第九好適実施態様が、第一、第三、及び、第四実施態様とそれぞれ類似して示されている。第七乃至第九実施態様では、キャリアユニット３４は、さらに、軸に沿ってウェブ３４１の前方に延び且つシートユニット５を取り囲む大径周囲部分３４３と、ニードルカニューレ３３を取り囲むよう軸に沿って大径周囲部分３４３から前方に延び且つ使用位置においてニードルカニューレ３３を確実に保持するよう構成される前方収束端部３４５で終端する小径周囲部分３４４とを含む。よって、ニードルカニューレ３３の屈曲は、使用中に防止され得る。
［実施例１０］
【００３４】
図２３及び２４を参照すると、この発明に従った使い捨て注射器の第十好適実施態様が、第一実施態様に類似するよう示されている。この実施態様では、プランジャ４は、一体物構造である、即ち、プッシュ端部４３２は、動作端部４２と一体的に形成されている。加えて、リングのような管状障壁１２５が、バレル１の後方バレル端部１２２から径方向に内向きに延びている。よって、カープル３が、図２４に示されるように、廃棄位置に付勢されるとき、管状障壁１２５は、バレル１から出るカープル３の偶発的な動作を防ぎ得る。第一乃至第九実施態様は、第一及び第二のプランジャ本体４３，４１を有するものの代わりに、そのような一体物プランジャ４を含み得ることが付記される。
【００３５】
さらに、保持機構１３は、さらに、案内スロットに横方向に延び、案内スロット１２６と連絡され、且つ、前方保持溝１３の反対側に配置される後方保持溝（１３ａ）を含む。よって、ニードルカニューレ３３が廃棄位置に配置された後、操作者は、カープル３を偶発的な動作から守るために、ペグ３５を後方保持溝（１３ａ）内に導くよう、プランジャ４を回転し得る。
［実施例１１］
【００３６】
代替的に、図２５を参照すると、第十実施態様に類似する、この発明に従った使い捨て注射器の第十一好適実施態様では、後方保持溝（１３ａ）の代わりに、周囲バレル壁１２は、管状障壁１２５の前方に配置され且つ管状障壁１２５から離間される環状エラストマー部材（１２５ａ）を有する。よって、カープル３が廃棄位置に付勢されるとき、カープル３の後方環状フランジ３１３又は３９は、後方環状フランジ３１３をエラストマー部材（１２５ａ）と管状障壁１２５との間に保持し、それによって、カープル３を前方動作から守るために、エラストマー部材（１２５ａ）の上を滑るよう移動される。
【００３７】
例証されたように、この発明の使い捨て注射器は、以下の利点を有する。
【００３８】
１．カープル３は、バレル内で事前組み立てされ得るので、医療作業者による臨床注射作業は単純化され、行うのが便利である。加えて、注射器は、単一動作で注射後に便利に再使用不能とされ得る。
【００３９】
２．気密スリーブ１７の故に、被封止室（３１ａ）の気密性が保証され得る。前方及び後方の保護体１４，１５並びに封止ストリップ１６１，１６２の故に、ニードルカニューレ３３及びプランジャ４は、封止的に且つ殺菌的に詰められ得る。
【００４０】
３．キャリアユニット３４と突出部材２２との間の係合、キー及びキー溝機構３５，１２６、並びに、保持機構１３の故に、カープル３は、使用前にバレル１内に堅固に保持され得る。注射及びニードル後退操作は、安定的であり且つ円滑である。
【００４１】
４．プランジャ４の動作端部４２は、動作端部４２がバレル１内に完全に押された後に、プランジャ４の後方動作を防ぐよう、バレル１の保持部分１２０と保持されるので、注射器の再使用は防止され得る。
【００４２】
本発明は、最も実用的であり且つ好適な実施態様と考えられるものに関して記載されたが、この発明は開示された実施態様に限定されず、最広義の解釈及び均等構成の精神及び範囲内に含まれる様々な構成をカバーすることが意図されている。
【図１】
2010259674.tif 000003
【図２】
2010259674.tif 000004
【図３】
2010259674.tif 000005
【図４】
2010259674.tif 000006
【図５】
2010259674.tif 000007
【図６】
2010259674.tif 000008
【図７】
2010259674.tif 000009
【図８】
2010259674.tif 000010
【図９】
2010259674.tif 000011
【図１０】
2010259674.tif 000012
【図１１】
2010259674.tif 000013
【図１２】
2010259674.tif 000014
【図１３】
2010259674.tif 000015
【図１４】
2010259674.tif 000016
【図１４Ａ】
2010259674.tif 000017
【図１５】
2010259674.tif 000018
【図１６】
2010259674.tif 000019
【図１７】
2010259674.tif 000020
【図１８】
2010259674.tif 000021
【図１９】
2010259674.tif 000022
【図２０】
2010259674.tif 000023
【図２１】
2010259674.tif 000024
【図２２】
2010259674.tif 000025
【図２３】
2010259674.tif 000026
【図２４】
2010259674.tif 000027
【図２５】
2010259674.tif 000028
【外国語明細書】
2010259674.tif 000029
2010259674.tif 000030
2010259674.tif 000031
2010259674.tif 000032
2010259674.tif 000033
2010259674.tif 000034
2010259674.tif 000035
2010259674.tif 000036
2010259674.tif 000037
2010259674.tif 000038
2010259674.tif 000039
2010259674.tif 000040
2010259674.tif 000041
2010259674.tif 000042
2010259674.tif 000043
2010259674.tif 000044
2010259674.tif 000045
2010259674.tif 000046
2010259674.tif 000047
【図１】
2010259674.tif 000048
【図２】
2010259674.tif 000049
【図３】
2010259674.tif 000050
【図４】
2010259674.tif 000051
【図５】
2010259674.tif 000052
【図６】
2010259674.tif 000053
【図７】
2010259674.tif 000054
【図８】
2010259674.tif 000055
【図９】
2010259674.tif 000056
【図１０】
2010259674.tif 000057
【図１１】
2010259674.tif 000058
【図１２】
2010259674.tif 000059
【図１３】
2010259674.tif 000060
【図１４】
2010259674.tif 000061
【図１４（Ａ）】
2010259674.tif 000062
【図１５】
2010259674.tif 000063
【図１６】
2010259674.tif 000064
【図１７】
2010259674.tif 000065
【図１８】
2010259674.tif 000066
【図１９】
2010259674.tif 000067
【図２０】
2010259674.tif 000068
【図２１】
2010259674.tif 000069
【図２２】
2010259674.tif 000070
【図２３】
2010259674.tif 000071
【図２４】
2010259674.tif 000072
【図２５】
2010259674.tif 000073